(57)【要約】【課題】造花と発光部との一体化を図り、発光部が点灯した場合でも、発光部が露出して光るのではなく、花弁が光って花冠自身が光るようにすると共に、非常に簡単な操作で装飾の演出効果を増大させることができる装飾用フラワー、それを用いた装置を提供する。【解決手段】複数枚の花弁（花びら）１ａを有する花冠部１の複数枚の花弁１ａにより包み込むように発光部３が設けられ、花冠部１の底部の萼部１ｂに茎部２の一端部が固定され、茎部２は、その他端部が花冠部１と反対側に伸びるように設けられている。そして、発光部３から延出される一対のリード４の両端部４ａ、４ｂが、茎部２の他端部に露出するように、一対のリード４が茎部２の内部に埋め込まれている。発光部３は、さらに少なくとも発光素子と、電源とを含んでおり、一対のリード４の両端部４ａ、４ｂが電気的に接続されたることにより発光素子が発光するように接続されている。【選択図】図１
2014088654.tif 000002
【特許請求の範囲】
【請求項１】
複数枚の花弁を有する花冠部と、該花冠部の複数枚の花弁により包み込むように設けられる発光部と、前記花冠部の底部に一端部が設けられ、他端部が該花冠部と反対側に伸びる茎部と、前記発光部に一端部がそれぞれ接続され、他端部が前記茎部の他端部から露出するように前記茎部の内部に設けられる一対のリードとを有し、前記発光部は、さらに少なくとも発光素子と、電源とを含み、前記一対のリードのそれぞれの他端部が電気的に接続されることにより前記発光素子が発光するように接続されてなる装飾用フラワー。
【請求項２】
前記発光部に、前記一対のリードの他端部が電気的に接続された場合に電流が徐々に流れ、発光が徐々に明るくなるような遅延回路が設けられてなる請求項１記載の装飾用フラワー。
【請求項３】
前記茎部が枝分かれして第２の花冠部が設けられ、該第２の花冠部内にも第２の発光部が設けられてなる請求項１または２記載の装飾用フラワー。
【請求項４】
祝福される被祝福者が、祝福する祝福者が複数個のゲストテーブルに着席して前記被祝福者を祝福する披露宴で、各ゲストテーブルを回りながら各祝福者に謝礼を表すセレモニーの演出装置であって、
予め前記各ゲストテーブルに設置され、導電部材が少なくとも底部に入れられた花器と、
会場内を薄暗くする照明手段と、
請求項１〜３のいずれか１項に記載の装飾用フラワーであって、該装飾用フラワーが前記花器に挿入された後に１秒以上経過したタイミングで発光させる装飾用フラワーと、
を具備し、前記装飾用フラワーの前記各ゲストテーブルへの提供により順次各ゲストテーブルを明るくして会場の雰囲気を和ますことを特徴とするセレモニーの演出装置。
【請求項５】
前記ゲストテーブルの少なくとも一つの花器に、発光色の異なる複数個の装飾用フラワーを挿入する請求項４記載のセレモニーの演出装置。
【請求項６】
前記複数個のテーブルで、各ゲストテーブルの前記装飾用フラワーの発光色を異ならせる請求項４記載のセレモニーの演出装置。
【請求項７】
祝福される被祝福者が、祝福する祝福者が複数個のゲストテーブルに着席して前記被祝福者を祝福する披露宴で、各ゲストテーブルを回りながら各祝福者に謝礼を表すセレモニーの演出方法であって、
予め前記各ゲストテーブルに、導電部材が少なくとも底部に入った花器を設置しておくと共に、会場内を暗くしておき、
請求項１〜３のいずれか１項に記載の装飾用フラワーを前記各ゲストテーブルの前記花器に順次挿入し、
挿入後１秒以上のタイミングをおいて前記装飾用フラワーを点灯させることにより、そのテーブルを明るくして会場の雰囲気を和ますことを特徴とするセレモニーの演出方法。
【請求項８】
挙式のため、新郎新婦が入場するバージンロードの両側に並べて設けられる花器であって、導電部材が少なくとも底部に入れられた花器と、
請求項１〜３のいずれか１項に記載の装飾用フラワーであって、前記花器に挿入された後１秒以上経過してから発光するような遅延回路またはタイマーが組み込まれた装飾用フラワーと、
を有し、前記バージンロードを歩くのに伴って、順次進行方向前方の前記花器に挿入された前記装飾用フラワーが点灯し、厳かな雰囲気を盛り上げることを特徴とするセレモニー用の演出装置。
【請求項９】
挙式のため、新郎新婦が入場するバージンロードの両側に、導電部材が少なくとも底部に入れられた花器を予め設置し、
新郎新婦の入場する直前に、新郎新婦の歩く速さと略同じ速さでバージンロードの両側の前記花器に、請求項１〜３のいずれか１項に記載の装飾用フラワーであって、前記花器に挿入された後１秒以上経過してから発光するような遅延回路またはタイマーが組み込まれた装飾用フラワーを挿入し、
新郎新婦が入場して前記バージンロードを歩く際に、順次進行方向前方の前記花器に挿入された前記装飾用フラワーが点灯することにより、厳かな雰囲気を盛り上げることを特徴とするセレモニー用の演出方法。
【発明の詳細な説明】
【技術分野】
【０００１】
本発明は、冠婚葬祭などで装飾用に用いることができる装飾用フラワーに関する。さらに詳しくは、ハプニング的に花の部分を輝かせることにより、会の雰囲気を盛り上げたり、装飾効果を向上させたりすることができる装飾用フラワーおよびそれを用いたセレモニーの演出装置とその方法に関する。
【背景技術】
【０００２】
たとえば結婚式の披露宴などで、各テーブルに飾花などにより装飾が施され、その飾花に発光体がところどころに設けられて新郎新婦が各テーブルを回ってスティックにより発光体を無線で発光させる飾花が考えられている（たとえば特許文献１参照）。すなわち、この飾花は、図７に示されるように、花器を模した基台５３に多数の造花５４を盛り合せて構成されている。この造花５４は、花弁５４ａを花状に並べてその中心に発光体５４ｂを配置することにより作られている。基台５３内には、電源５５が設けられ、発光体５４ｂの図示しない一対の電極の一方に接続されたリードが接続され、一対の電極の他方は制御部５６を介して電源５５に接続されている。この基台５３には、さらに受信部５７が設けられており、外部からの信号電波を受信できるようになっている。
【０００３】
このような構成で、たとえば新郎新婦が各ゲストテーブルを回り、スティックをゲストテーブルの飾花に近づけて、たとえば赤外線リモコン装置により送信信号を発することにより、そのゲストテーブルの飾花が点灯するように構成され、華やかな造花と光の演出を行う構成になっている。
【先行技術文献】
【特許文献】
【０００４】
【特許文献１】特開平１０−５０１０７号公報
【発明の概要】
【発明が解決しようとする課題】
【０００５】
前述のように、あるとき突然に飾花に混ぜ込んだ発光体を点灯させることにより、サプライズ的効果はあるが、造花５４の花弁５４ａの中心に発光体５４ｂを設ける構成では、たとえ発光体５４ｂの周囲を装飾しても、花の中心が光るだけで花としての違和感を拭い取ることはできず、装飾効果としては、十分でないという問題がある。
【０００６】
また、前述のような赤外線リモコン装置などの外部からの操作信号により点灯する構成では、双方に送受信装置の一方と他方を装備する必要があり、装置が複雑で装置の値段が高価になると共に、近年のリモコン操作の一般化により、サプライズ効果も低下するという問題がある。
【０００７】
本発明は、このような状況に鑑みてなされたもので、造花と発光部との一体化を図り、発光部が点灯した場合でも、発光部が露出して光るのではなく、花弁が光って花自身が光るようにすることにより、装飾の演出効果を増大させることができる装飾用フラワーおよびそれを用いたセレモニーの演出装置とその方法を提供することを目的としている。
【０００８】
本発明のさらに他の目的は、送受信装置などを設けることなく、非常に自然で、しかも簡単な操作のみで、点灯と非点灯の切替えを行うことができる装飾用フラワーおよびそれを用いたセレモニーの演出装置とその方法を提供することにある。
【課題を解決するための手段】
【０００９】
本発明の装飾用フラワーは、複数枚の花弁を有する花冠部と、該花冠部の複数枚の花弁により包み込むように設けられる発光部と、前記花冠部の底部に一端部が設けられ、他端部が該花冠部と反対側に伸びる茎部と、前記発光部に一端部がそれぞれ接続され、他端部が前記茎部の他端部から露出するように前記茎部の内部に設けられる一対のリードとを有し、前記発光部は、さらに少なくとも発光素子と、電源とを含み、前記一対のリードのそれぞれの他端部が電気的に接続されることにより前記発光素子が発光するように接続されている。
【００１０】
ここに電気的に接続とは、導電材などの電気抵抗の小さい物体を介して接続する場合のみならず、通常の水道水や電解質を含んだ液体や汗などの、僅かでも電気を伝導する物質を介した接続をも含む意味である。
【００１１】
前記発光部に、前記一対のリードの他端部が電気的に接続された場合に電流が徐々に流れ、発光が徐々に明るくなるような遅延回路が設けられていることが、会席のムードを向上させる観点から好ましい。
【００１２】
前記茎部が枝分かれして第２の花冠部が設けられ、該第２の花冠部内にも第２の発光部が設けられていることにより、装飾効果を増大させることができる。この場合、発光部の電源部や遅延回路などを新たに設けることもできるし、前記発光部の電源や遅延回路は共用にしてリードで接続した発光素子だけを設けることもできる。
【００１３】
本発明のセレモニーの演出装置は、祝福される被祝福者が、祝福する祝福者が複数個のゲストテーブルに着席して前記被祝福者を祝福する披露宴で、各ゲストテーブルを回りながら各祝福者に謝礼を表すセレモニーの演出装置であって、予め前記各ゲストテーブルに設置され、導電部材が少なくとも底部に入れられた花器と、会場内を薄暗くする照明手段と、請求項１〜３のいずれか１項に記載の装飾用フラワーであって、該装飾用フラワーが前記花器に挿入された後に１秒以上経過したタイミングで発光させる装飾用フラワーと、を具備し、前記装飾用フラワーの前記各ゲストテーブルへの提供により順次各ゲストテーブルを明るくして会場の雰囲気を和ますことを特徴とする。
【００１４】
本発明のセレモニーの演出方法は、祝福される被祝福者が、祝福する祝福者が複数個のゲストテーブルに着席して前記被祝福者を祝福する披露宴で、各ゲストテーブルを回りながら各祝福者に謝礼を表すセレモニーの演出方法であって、予め前記各ゲストテーブルに、導電部材が少なくとも底部に入った花器を設置しておくと共に、会場内を暗くしておき、請求項１〜３のいずれか１項に記載の装飾用フラワーを、前記各ゲストテーブルの前記花器に挿入し、挿入後１秒以上のタイミングをおいて前記装飾用フラワーを点灯させることにより、そのテーブルを明るくして会場の雰囲気を和ますことを特徴とする。
【００１５】
本発明のセレモニー用の演出装置の他の形態は、挙式のため、新郎新婦が入場するバージンロードの両側に並べて設けられる花器であって、導電部材が少なくとも底部に入れられた花器と、請求項１〜３のいずれか１項に記載の装飾用フラワーであって、前記花器に挿入された後１秒以上経過してから発光するような遅延回路またはタイマーが組み込まれた装飾用フラワーと、を有し、前記バージンロードを歩くのに伴って、順次進行方向前方の前記花器に挿入された前記装飾用フラワーが点灯し、厳かな雰囲気を盛り上げることを特徴とする。
【００１６】
本発明のセレモニー用の演出方法の他の形態は、挙式のため、新郎新婦が入場するバージンロードの両側に、導電部材が少なくとも底部に入れられた花器を予め設置し、新郎新婦の入場する直前に、新郎新婦の歩く速さと略同じ速さでバージンロードの両側の前記花器に、請求項１〜３のいずれか１項に記載の装飾用フラワーであって、前記花器に挿入された後１秒以上経過してから発光するような遅延回路またはタイマーが組み込まれた装飾用フラワーを挿入し、新郎新婦が入場して前記バージンロードを歩く際に、順次進行方向前方の前記花器に挿入された前記装飾用フラワーが点灯することにより、厳かな雰囲気を盛り上げることを特徴とする。
【発明の効果】
【００１７】
本発明の装飾用フラワーによれば、発光部が完全に花弁により覆われているため、発光素子が直接露出して光ることがなく、花弁の花芯部が直接明るくなるため、花そのものが明るくなり、造花の間で、または花弁の中心部でＬＥＤ（light emitting diode）や豆電球などの発光素子が直接光るのとは全く異なり、情緒のあるライトアップを行うことができる。
【００１８】
さらに、本発明によれば、茎部の端部に導出された一対のリードの端部が電気的に接続されれば発光素子が点灯するため、たとえば通常の水に浸漬したり、電解質の液体、または汗のついた指で茎の端部に接触したりするだけで発光素子を点灯させることができる。そのため、赤外線リモコンや電波による送受信装置のそれぞれを造花と指示側に配置する必要はなく、ただフラワーを持参して茎の底部を伝導性物質に接触させるだけで発光素子を発光させることができる。その結果、たとえばフラワーを客人に手渡すときに、指で短絡して光らすことにより点灯したフラワーを手渡したり、披露宴のキャンドルサービスの際に僅かに水の入ったコップに挿入することにより光らせたりすることにより、客人や来賓者などに思いがけないサプライズ効果を演出することができる。客人に手渡す場合などでは、たとえばフラワーの茎部に吸湿性のある材料を用いることにより、手渡した後しばらくの間点灯しており、その後消灯するため、より一層サプライズ効果を大きくすることができる。
【００１９】
また、発光素子の発光を徐々に明るくなるように遅延回路が設けられることにより、より一層厳かな情緒を盛り上げることができ、より一層演出効果を高めることができるという効果がある
【図面の簡単な説明】
【００２０】
【図１】本発明の装飾用フラワーの一実施形態を表すフラワーの斜視説明図である。
【図２】図１の発光部の分解説明図である。
【図３】図２の発光部の一例の等価回路図である。
【図４】図１のフラワーを製造する工程説明図である。
【図５】本発明のセレモニーの演出装置の一実施形態を示す説明図である。
【図６】本発明のセレモニーの演出装置の他の実施形態を示す説明図である。
【図７】従来の装飾用の飾花の一例を示す斜視説明図である。
【発明を実施するための形態】
【００２１】
つぎに、本発明の装飾用フラワーおよびその製造方法について、図１〜４を参照しながら説明をする。本発明による装飾用フラワーは、図１に示されるように、複数枚の花弁（花びら）１ａを有する花冠部１の複数枚の花弁１ａにより包み込むように発光部３が設けられ、花冠部１の底部の萼部１ｂに茎部２の一端部が固定され、茎部２は、その他端部が花冠部１と反対側に伸びるように設けられている。そして、発光部３から延出される一対のリード４の両端部４ａ、４ｂが、茎部２の他端部に露出するように、一対のリード４が茎部２の内部に埋め込まれている。発光部３は、図２に示されるように、さらに少なくとも発光素子３１と、電源３２とを含んでおり、一対のリード４の両端部４ａ、４ｂが電気的に接続されることにより発光素子３１が発光するように接続されている。
【００２２】
花冠部１は、図１にバラの造花の斜視説明図が示されているように、たとえば赤色やピンク色などの複数の花弁１ａが何重にも包み込むように形成され、その底部には萼部１ｂが形成されている。この花冠部１は、たとえば布切れでも良いが、形状を長く保持するのには、光を拡散して透過しやすい化学繊維などが好ましい。たとえばポリエステル、シルク繊維などを用いることができる。なお、萼部１ｂは、たとえば緑色などの同様の材料で花弁１ａの底面を覆うように設けられている。花冠部１としては、バラの花に限定されるものではなく、チューリップの花など筒型の花が発光部３を包み込むのに適している。
【００２３】
茎部２は、たとえば造花で一般的に用いられているＰＶＣオアシステープなどを巻き付けることにより形成される。このオアシステープに吸湿性が多少あるものを含ませることにより、一対のリード４間の電気伝導性を一定時間保持することができるし、吸湿性を有さない材料のみで形成することにより、電気伝導性材料の接触、非接触により、発光部の点灯、非点灯を応答性よく制御することができる。すなわち、使用目的に応じてこの茎部２の材料を選択することができる。
【００２４】
発光部３は、たとえば図２（ａ）〜（ｃ）に分解図が、図３に等価回路図がそれぞれ示されるように、配線が形成されたプリント基板などからなる基板３０に、たとえばＬＥＤとか、豆ランプのような発光素子３１およびボタン電池のような電池からなる電源３２が搭載され、配線で図３に等価回路図が示されるように接続されている。この図２〜３に示される発光部３は、発光素子３１、電源３２の他に、遅延回路３３、昇圧回路（ＤＣ−ＤＣコンバータ）３４、調光回路３５も直列に接続されているが、遅延回路３３は無くても良く、また、昇圧回路３４も電源３２の電圧と発光素子３１の駆動電圧とが一致していれば不要である。そして、これらを直列接続した回路の両端子３６に一対のリード４が接続され、茎部２の内部に封じ込められて、それぞれの端部４ａ、４ｂが茎部２の端部に露出するように形成されている。なお、図２において、３７は、たとえば２個の電池を纏めて固定するための電池ボックスである。そして、この基板３０およびその基板３０に搭載された各部品を纏めて、たとえばプラスティック製の底蓋３８ａと同じ材料の上蓋３８ｂからなるカプセル３８内に閉じ込め（図２（ｃ）参照）、回路の両端子３６に接続された一対のリード４が茎部２の内部に伸びるように延出されている。
【００２５】
発光素子３１は、前述のように通電により発光するものであれば、何でも使用できるが、ＬＥＤが、消費電力が小さく、また、所望の発光色の発光をさせることができるため特に好ましい。また、直接発光させるＬＥＤを直接花弁１ａ内に配置しないで、光拡散板などを花弁１ａ内に設け、その光拡散板などに光ファイバなどで光を乱反射させて、あたかも光拡散板の部分で発光しているように見せかける場合でも、そのような光拡散板を発光素子と見なすことができる。
【００２６】
電源３２は、この装飾用フラワーを用いて演出する方法にもよるが、その演出の自由度を高めるためにも、小形の電池が好ましい。電池の中でも、ボタン電池が非常に小形でスペースを取らないため、小さなフラワーでも花弁１ａで発光部３を覆いやすいことから好ましい。
【００２７】
遅延回路３３は、簡単な構成例としては、たとえばキャパシタＣと抵抗Ｒとで微分回路を形成することにより、簡単に形成することができる。これは、一対のリード４の両端部４ａ、４ｂを電気的に接続した場合に、一気に発光素子３１が最高輝度で発光すると、厳かな雰囲気で情緒を醸し出すのには相応しくなく、ある程度ゆっくりと光り出すのが情緒性の観点から好ましいため、徐々に電流が多く流れるような遅延回路を形成することにより、徐々に発光素子３１を明るくするものである。このような構成にすることにより、より一層会席の演出効果を高めることができる。従って、このような遅延回路３３を設けることにより、情緒ある演出効果を向上させることができるが、必ずしも不可欠のものではない。また、遅延回路とともに、または遅延回路に代えてタイマーを組み込むことにより、かなりの長時間後に点灯させるようにすることもできる。
【００２８】
昇圧回路３４は、たとえば市販のＩＣなどにより形成されたＤＣ−ＤＣ変換器を用いることができる。この昇圧回路３４は、たとえば発光素子３１としてＬＥＤが用いられ、その順方向電圧が３〜５Ｖ程度であるのに、電源３２の電圧が１．５Ｖ程度であると、発光素子３１を駆動できないため、発光素子３１の順方向駆動電圧より少なくとも大きくなるように昇圧するためである。従って、電源３２の動作電圧が、発光素子３１の順方向電圧と一致するか、大きい場合は、昇圧回路３４は不要である。
【００２９】
調光回路３５は、発光素子３１を発光させるのに適した電流になるように調整するもので、たとえば、トランジスタなどの半導体素子や抵抗などで定電流源として構成し、抵抗値などの調整により電流を調整することができるが、明るさをそれほど気にしないで、ある程度の輝度を得ることが目的であれば、発光素子３１に適した電源の電圧が得られれば、無くても構わない。
【００３０】
図２〜３において、３６は、発光部３の回路の出力端子を示し、３７は電池ボックスで、たとえば２個の電池を直列接続して固定している。
【００３１】
カプセル３８は、前述のように、発光部３の全体を覆う入れ物で、半透明のプラスティックなどで形成されている。このカプセル３６は、無くても良いが、カプセル３８がないと、発光素子３１からの光が直接外部に放射されることになるため、指向性の強い発光素子３１であると、部分的に光が強くアンバランスな発光になる。そのため、たとえばアクリル樹脂（ＰＭＭＡ）、ポリエチレンテレフタレート（ＰＥＴ）などからなる光拡散性の強い材料のフィルムで形成されたカプセル３８などの容器に入れることが好ましい。
【００３２】
一対のリード４は、２本のリード４の一端部が発光部３の基板３０に設けられた出力端子３６に接続され、２本のリード４の他端部４ａ、４ｂは茎部２の他端部から露出するように設けられている。この一対のリード４は、電気抵抗の小さい銅線などが好ましいが、これに限定されるものではなく、電気伝導性の材料であれば良い。また、リード４は、周囲が絶縁体で被覆された構造のものでもよいし、全体が絶縁体で被覆されない構造でも、茎部２の絶縁体で電気的に分離することができる。少なくとも一対のリード４の茎部２の他端部側が被覆されない状態で、茎部２の材料で絶縁される構造にすることにより、茎部２の長さを若干短くするため端部側を切断しても充分なスイッチ機能を有すると共に、茎部２に吸湿性の材料を含ませることにより、水などからフラワーを抜き出しても、茎部２に含まれた水などにより、即座には消灯しないで、しばらく点灯を続けることができる、という演出効果をもたらすことができる。また、リード４の端部は、図に示されるように、茎部２の端部から延出しなくても、茎部２の端部に、ただ露出しているだけで十分である。
【００３３】
次に、図１に示される装飾性フラワーの製造方法について、図２および図４を参照しながら説明する。まず、図２（ａ）に示されるように、発光部３を形成し、その発光部３の一対の端子３６に一対のリード４の一端部をそれぞれ接続する。
【００３４】
発光部３は、前述のように、プリント基板などからなる配線が形成された基板３０にＬＥＤなどからなる発光素子３１、電池３２、遅延回路３３、昇圧回路３４、および調光回路３５を、所定の配線と接続されるようにハンダ付けなどにより基板３０上に搭載する。その結果、図３に示されるような等価回路が形成され、その回路の両端子３６が基板３０上に形成されており、その両端子３６に一対のリード４を接続する。このリードの長さは、前述の茎部２の長さに合せて形成する。その後、カプセル３８の底蓋３８ａと上蓋３８ｂとで囲むことにより、リード４付き発光部３が形成される（図２（ｃ）、図４（ａ）参照）。
【００３５】
次に、図４（ｂ）に示されるように、リード４の端部側から花弁１ａを数枚、および最後に萼部１ｂを挿入して発光部３を包み込むように成形する。
【００３６】
その後、図４（ｃ）に示されるように、萼部１ｂの下側からリード４の表面にＰＶＣオアシステープを巻きつけて茎部２を形成する。この際、図に示されるバラを形成する場合には、茎部２に刺部２ａを形成すると共に、葉っぱ２１の形成部２ｂも形成しておく。
【００３７】
そして、図４（ｄ）に示されるように、葉っぱ２１を接着剤などにより葉っぱ２１の形成部２ｂに固定することにより、図１に示されるような発光部３を包み込んだバラの造花、すなわち装飾用フラワーを作ることができる。
【００３８】
以上のように、本発明によれば、茎部２の先端に露出したリード４の端部４ａと４ｂとを何らかの方法により導通状態にすることにより、花冠の中に包み込まれた発光部３が光り、直接発光部が露出していないため、発光状態が非常に穏やかで、しかも、指で触れたり、水気のある部分に接触させたりするだけで、何気なく光らせることができるため、非常にサプライズ効果を誘発する演出をすることができる。
【００３９】
図５は、本発明の装飾用フラワー６３を用いたセレモニーの演出装置および方法の概要を示す図である。すなわち、たとえば結婚式の披露宴で従来キャンドルサービスとして、新郎新婦が各ゲストテーブル６１を順次訪れ、キャンドルを点灯して謝礼を示す行事が行われているが、マンネリ化して興味がそがれてきている。
【００４０】
そこで、本発明では、そのキャンドルサービスに代えてゲストに謝礼を示す行事として、従来のキャンドルの代りに装飾用フラワーを用い、しかも装飾用フラワーをプレゼントしてから一定の時間が経過した後に発光させるようにすることにより、場の雰囲気を盛り上げるものである。
【００４１】
すなわち、図５に示されるように、予め各ゲストテーブル６１に、導電部材（図示せず）が少なくとも底部に入れられた花器６２が設置され、会場内を薄暗くする照明手段（図示せず）が設けられている。そして、新郎新婦などの被祝福者６０が、請求項１〜３のいずれか１項に記載の装飾用フラワー６３であって、装飾用フラワー６３が花器６２に挿入された後に１秒以上経過したタイミングで発光させる装飾用フラワー６３が挿入される。
【００４２】
花器６２の底部に入れられた導電部材としては、水でも良いし、導電性の液体、導電性液体を染み込ませた脱脂綿、スポンジ、布などの吸湿部材などでも良い。また、会場内を暗くする手段としては、たとえば室内の照明を部分的に消去するなどゲストテーブル６１の周辺の照明を消去するスイッチで構わない。この装飾用フラワー６３には、前述の茎部２（図１参照）の端部から露出するリード４の先端を導電部材により短絡しても、直ぐにはＬＥＤは点灯しないで、数秒、具体的には１秒から３０秒程度、場合によっては数分から数十分を経過してから徐々に明るくなり発光するように遅延回路および／またはタイマーを組み込んでおくことが好ましい。この遅延回路またはタイマーが組み込まれていることにより、リード４の先端が導電部材により短絡されても、すぐには発光しないで、一定時間後に発光するように設定することができる。その結果、花器６２に装飾用フラワー６３が挿入された後、一定時間が経過するまでは発光せず、新郎新婦などの被祝福者６０が装飾用フラワー６３を花器６２に挿入した後、体勢を立て直してから装飾用フラワー６３が発光し、ゲストに感動を与えることができる。
【００４３】
このような装置で、音楽などのＢＧＭと共に、新郎新婦などの被祝福者６０が、装飾用フラワー６３を袋６４や籠などに複数個入れて会場に入場し、被祝福者６０が各ゲストテーブル６１を回りながら、各ゲストテーブル６１の花器６２に、１本または複数本の装飾用フラワー６３をゲストテーブル６１上の花器６２に挿入してプレゼントする。この花器６２に装飾用フラワー６３を挿入する際には、前屈みになるが、花器６２に装飾用フラワー６３を挿入しても、直ちには発光せず、体勢を立て直してゲストテーブル６１の全員と向き合った時点でＬＥＤが発光し始め、より一層会場の雰囲気を盛り上げ、和ますものである。この装飾用フラワー６３のプレゼントは、各ゲストテーブル６１によって発光色の異なる装飾用フラワー６３にしたり、あるゲストテーブル６１には、２本以上の複数本のプレゼントにしたり、その複数本の装飾用フラワー６３の発光色をそれぞれ別の発光色の組合せにしたりすることなどにより、より一層、場の興趣を盛り上げることができるため好ましい。
【００４４】
図６は、別のセレモニーの演出装置および方法を示す例で、たとえば結婚式の式場に新郎新婦が入場する際の雰囲気を盛り上げる演出である。すなわち、この例のセレモニーの演出装置は、図６に示されるように、挙式のため、新郎新婦が入場するバージンロード６６の両側で、長椅子の端部などに、導電部材が少なくとも底部に入れられた花器６２が並べて設けられており、装飾用フラワー６５が予めその花器６２内に挿入されている。この装飾用フラワー６５には、前述の図３において説明したように、遅延回路および／またはタイマーが組み込まれており、先端部に露出するリード４を導電部材により短絡しても一定時間後に点灯するように構成されている。そのため、新郎新婦が入場する時間より、その一定時間前に、装飾用フラワー６５を花器６２に挿入することが好ましい。しかも、その装飾用フラワー６５の挿入スピードを、新郎新婦が歩くスピードと同程度にしておくことが好ましい。そうすることにより、新郎新婦が入場する側から前に進むに従って、その前方の装飾用フラワー６５を順次点灯させることができるため、より一層、興趣をそそることができる。この遅延回路またはタイマーによる遅延時間は、５秒から数十分、好ましくは１０〜３０秒など、目的に応じて設定することができる。しかし、装飾用フラワー６５の全体を点灯させてから新郎新婦が入場するようにすることもできる。その結果、新郎新婦が入場してバージンロードを歩くと共に、順次進行方向前方の花器６２に挿入された装飾用フラワー６５が点灯し、厳かな雰囲気を盛り上げることができる。
【００４５】
次に、この図６に示されるセレモニーの演出方法について、具体例で説明する。この例の方法は、挙式のため、新郎新婦が入場するバージンロード６６の両側に、導電部材が少なくとも底部に入れられた花器６２を予め設置する。そして、新郎新婦の入場直前、すなわち装飾用フラワー６５に組み込まれた遅延回路などによる遅延時間分だけ新郎新婦が入場する前に、たとえばフラワーガール、フラワーボーイ、またはプライズメイドが、新郎新婦が歩く速さと同じ速さでバージンロードを歩きながら、前述のような装飾用フラワー６５を両側の各花器６２に挿入する。その後、装飾用フラワー６３に組み込まれた遅延回路またはタイマーの時間に合せて、新郎新婦が入場してバージンロード６６を歩く際に、順次進行方向前方の花器６２に挿入された装飾用フラワー６５が点灯することにより、厳かな雰囲気を盛り上げることができる。
【００４６】
予め装飾用フラワー６５を新郎新婦の歩く速さと同じ速さで順次花器６２に挿入するのは、そのようにすれば、新郎新婦の歩く速さに合せて順次装飾用フラワー６５を点灯させることができるため、より一層その厳かな雰囲気を盛り上げることができるからであるが、必ずしもそうする必要はなく、装飾用フラワー６５の花器６２への挿入後に点灯する時間をそれぞれ調整しておいて、同時に花器６２に挿入しながら、順次時間をずらせて点灯させる方法でもよい。さらに、全部の装飾用フラワー６５が点灯した状態で新郎新婦が入場するようにすることもできる。そのようにする場合は、遅延回路とかタイマーで発行させる時間を制御する必要もなくなる。
【符号の説明】
【００４７】
１    花冠
１ａ  花弁（花びら）
１ｂ  萼部
２    茎部
２ａ  刺部
２ｂ  葉っぱ形成部
２１  葉っぱ
３    発光部
３０  基板
３１  発光素子
３２  電源
３３  遅延回路
３４  昇圧回路
３５  調光回路
３６  端子
３８  カプセル
３８ａ  底蓋
３８ｂ  上蓋
４    リード
４ａ  リード端子
４ｂ  リード端子
６０  被祝福者（新郎新婦）
６１  ゲストテーブル
６２  花器
６３  装飾用フラワー
６４  袋
６５  装飾用フラワー
６６  バージンロード
【図１】
2014088654.tif 000003
【図２】
2014088654.tif 000004
【図３】
2014088654.tif 000005
【図４】
2014088654.tif 000006
【図５】
2014088654.tif 000007
【図６】
2014088654.tif 000008
【図７】
2014088654.tif 000009